(57)【要約】【課題】ユーザの利便性と消費電力の抑制をより効率的に満たすことができる放送受信装置を提供する。【解決手段】リモコン制御部１４のＣＰＵ１４１が、待機時間の経過毎に主制御部１３におけるオペレーティングシステムを起動させる機能スタンバイ状態とオペレーティングシステムを停止させるリモコンスタンバイ状態とに切り替える。【選択図】図１
2011019139.tif 000002
【特許請求の範囲】
【請求項１】
受信したデジタル放送信号に基づいて所定の処理を行う放送信号処理手段と、
所定の電源操作を検出する電源操作検出手段と、
所定のオペレーティングシステムが起動されることにより動作し、前記放送信号処理手段の制御を行う主制御部と、
前記主制御部における前記オペレーティングシステムを起動させる第１待機状態と、前記オペレーティングシステムを停止させる第２待機状態と、前記放送信号処理手段を機能させる稼働状態との何れかの動作状態に切り替える状態切替制御を行う副制御部と、を備え、
前記電源操作検出手段による電源操作の検出に応じて、前記稼働状態と前記第１待機状態又は第２待機状態とに切り替える放送受信装置において、
前記副制御部は、
前記第１待機状態及び前記第２待機状態において各々所定の待機時間が経過したことを検出する待機時間検出手段と、
前記第１待機状態又は前記第２待機状態のときに、前記待機時間検出手段による各々の待機時間経過の検出毎に前記第１待機状態と前記第２待機状態との間で動作状態を切り替える切替手段と、
を備えることを特徴とする放送受信装置。
【請求項２】
前記第１待機状態及び前記第２待機状態における各々の前記待機時間の設定を行う待機時間設定手段を備えたことを特徴とする請求項１に記載の放送受信装置。
【請求項３】
前記第１待機状態と前記第２待機状態との何れの動作状態であるかを報知する状態報知手段を備えたことを特徴とする請求項１又は２に記載の放送受信装置。
【請求項４】
前記第１待機状態における待機時間は少なくとも前記主制御部における前記オペレーティングシステムの起動が完了するまでの時間であることを特徴とする請求項１〜３の何れか一項に記載の放送受信装置。
【請求項５】
受信したデジタル放送信号に基づいて所定の処理を行う放送信号処理手段と、
所定の電源操作を検出する電源操作検出手段と、
所定のオペレーティングシステムが起動されることにより動作し、前記放送信号処理手段の制御を行う主制御部と、
前記主制御部における前記オペレーティングシステムを起動させる第１待機状態と、前記オペレーティングシステムを停止させる第２待機状態と、前記放送信号処理手段を機能させる稼働状態との何れかの動作状態に切り替える状態切替制御を行う副制御部と、を備え、
前記電源操作検出手段による電源操作の検出に応じて、前記稼働状態と前記第１待機状態又は第２待機状態とに切り替える放送受信装置において、
前記副制御部は、
前記第１待機状態及び第２待機状態において各々所定の待機時間が経過したことを検出する待機時間検出手段と、
前記第１待機状態及び前記第２待機状態における各々の前記待機時間の設定を行う待機時間設定手段と、
前記第１待機状態と前記第２待機状態との何れの動作状態であるかを報知する状態報知手段と、
前記第１待機状態又は前記第２待機状態のときに、前記待機時間検出手段による各々の待機時間経過の検出毎に前記第１待機状態と前記第２待機状態との間で動作状態を切り替える切替手段と、を備え、
前記第１待機状態における待機時間は少なくとも前記主制御部における前記オペレーティングシステムの起動が完了するまでの時間であることを特徴とする放送受信装置。
【発明の詳細な説明】
【技術分野】
【０００１】
本発明は、テレビジョン放送を受信して処理を行う放送受信装置に関する。
【背景技術】
【０００２】
従来の放送受信装置には、例えば、テレビジョン放送信号を受信して表示を行うテレビジョン受像機にあっては、表示部に映像が表示される動作状態と、ユーザによるリモートコントローラの電源操作を受付可能な状態である待機状態とに制御されるものがある。そして、このような放送受信装置は、ＯＳ（Operating System）により制御されるため、電源操作が行われてから表示部に映像が表示されるまでは、ＯＳを起動させる必要から数十秒程度と相当な時間がかかるものであった。このような問題を解決するために、ＯＳ等の主要部分については予め起動させておき、電源操作が行われてから表示部に映像が表示されるまでの時間の短縮を図るものもあったが、ＯＳ等の主要部分を常に動作させておくことは無駄に電力を消費することになり好ましいものではない。
【０００３】
そこで、特許文献１に開示の技術では、ユーザにより設定された時間帯においては、ＯＳ等の主要部分を起動させておき、表示部に映像が表示されるまでの時間の短縮を図るとともに、それ以外の時間帯については、ＯＳ等の主要部分の動作を停止させるようにして、ユーザの利便性と消費電力の抑制とを同時に達成させるようにしている（特許文献１）。
【先行技術文献】
【特許文献】
【０００４】
【特許文献１】特開２００８−１７７８８３号公報
【発明の概要】
【発明が解決しようとする課題】
【０００５】
しかしながら、特許文献１に開示された技術では、視聴パターンに規則性のあるユーザにとっては有効であるが、視聴パターンが不規則なユーザにとっては必ずしもユーザの利便性と消費電力の抑制とが同時に達成されるものではなかった。
【０００６】
本発明の課題は、視聴パターンが不規則がユーザであっても一定の利便性と消費電力の抑制を満たすことができる放送受信装置を提供することである。
【課題を解決するための手段】
【０００７】
以上の課題を解決するため、請求項１に記載の発明は、受信したデジタル放送信号に基づいて所定の処理を行う放送信号処理手段と、
所定の電源操作を検出する電源操作検出手段と、
所定のオペレーティングシステムが起動されることにより動作し、前記放送信号処理手段の制御を行う主制御部と、
前記主制御部における前記オペレーティングシステムを起動させる第１待機状態と、前記オペレーティングシステムを停止させる第２待機状態と、前記放送信号処理手段を機能させる稼働状態との何れかの動作状態に切り替える状態切替制御を行う副制御部と、を備え、
前記電源操作検出手段による電源操作の検出に応じて、前記稼働状態と前記第１待機状態又は第２待機状態とに切り替える放送受信装置において、
前記副制御部は、
前記第１待機状態及び前記第２待機状態において各々所定の待機時間が経過したことを検出する待機時間検出手段と、
前記第１待機状態又は前記第２待機状態のときに、前記待機時間検出手段による各々の待機時間経過の検出毎に前記第１待機状態と前記第２待機状態との間で動作状態を切り替える切替手段と、
を備えることを特徴とする。
【０００８】
請求項２に記載の発明は、請求項１に記載の放送受信装置であって、前記第１待機状態及び前記第２待機状態における各々の前記待機時間の設定を行う待機時間設定手段を備えたことを特徴とする。
【０００９】
請求項３に記載の発明は、請求項１又は２に記載の放送受信装置であって、前記第１待機状態と前記第２待機状態との何れの動作状態であるかを報知する状態報知手段を備えたことを特徴とする。
【００１０】
請求項４に記載の発明は、請求項１〜３の何れか一項に記載の放送受信装置であって、前記第１待機状態における待機時間は少なくとも前記主制御部における前記オペレーティングシステムの起動が完了するまでの時間であることを特徴とする。
【００１１】
請求項５に記載の発明は、受信したデジタル放送信号に基づいて所定の処理を行う放送信号処理手段と、
所定の電源操作を検出する電源操作検出手段と、
所定のオペレーティングシステムが起動されることにより動作し、前記放送信号処理手段の制御を行う主制御部と、
前記主制御部における前記オペレーティングシステムを起動させる第１待機状態と、前記オペレーティングシステムを停止させる第２待機状態と、前記放送信号処理手段を機能させる稼働状態との何れかの動作状態に切り替える状態切替制御を行う副制御部と、を備え、
前記電源操作検出手段による電源操作の検出に応じて、前記稼働状態と前記第１待機状態又は第２待機状態とに切り替える放送受信装置において、
前記副制御部は、
前記第１待機状態及び第２待機状態において各々所定の待機時間が経過したことを検出する待機時間検出手段と、
前記第１待機状態及び前記第２待機状態における各々の前記待機時間の設定を行う待機時間設定手段と、
前記第１待機状態と前記第２待機状態との何れの動作状態であるかを報知する状態報知手段と、
前記第１待機状態又は前記第２待機状態のときに、前記待機時間検出手段による各々の待機時間経過の検出毎に前記第１待機状態と前記第２待機状態との間で動作状態を切り替える切替手段と、を備え、
前記第１待機状態における待機時間は少なくとも前記主制御部における前記オペレーティングシステムの起動が完了するまでの時間であることを特徴とする。
【発明の効果】
【００１２】
本発明によれば、視聴パターンが不規則がユーザであっても一定の利便性と消費電力の抑制を満たすことができる放送受信装置を提供することができる。
【図面の簡単な説明】
【００１３】
【図１】本発明の実施形態にかかるテレビジョン受像機の要部構成を示すブロック図である。
【図２】本発明の実施形態にかかるテレビジョン受像機のリモコン制御部にて実行される電源制御処理を表すフローチャートである。
【図３】本発明の実施形態にかかるテレビジョン受像機のリモコン制御部にて実行される電源制御処理を表すフローチャートである。
【図４】本発明に係るテレビジョン受像機の主制御部にて実行されるメイン処理を表すフローチャートである。
【図５】本発明に係るテレビジョン受像機の主制御部にて実行されるスタンバイ時間設定処理を表すフローチャートである。
【図６】待機時間を設定するためのテーブルを表す図である。
【発明を実施するための形態】
【００１４】
以下、図面を参照して、この発明の実施形態について説明する。
【００１５】
本実施形態のテレビジョン受像機１００は、図１に示すように、ユーザが各種指示を入力するリモコン１ａと、このリモコン１ａにより遠隔操作される本体部１と、を備えて構成されている。
【００１６】
本体部１は、放送信号を受信するアンテナ２と、アンテナ２により受信された放送信号から所定のチャンネルの放送信号を選局するチューナ３と、チューナ３により選局された放送信号を復調する復調部４と、復調部４により復調された放送信号を複数のストリームに分離するＴＳデコーダ５と、ＴＳデコーダ５により分離された放送信号を復号するビデオデコーダ６及びオーディオデコーダ７と、ビデオデコーダ６により復号された映像信号に対して所定の処理を行う映像処理部８と、オーディオデコーダ７により復号された音声信号に対して所定の処理を行う音声処理部９と、映像処理部８により処理された映像信号にＯＳＤデータを付加するＯＳＤ回路１０と、映像処理部８により処理された映像信号を出力する映像表示部１１と、音声処理部９により処理された音声信号を出力する音声出力部１２と、本体部１全体を統括制御する主制御部１３と、リモコン１ａと通信を行い、本体部１全体の電源の制御を行うリモコン制御部１４と、を備えており、各部はバス１５により接続されている。
【００１７】
リモコン１ａは、ユーザが本体部１に対して各種指示を入力するための複数のキーを備える。複数のキーには、例えば、本体部１の電源のＯＮ／ＯＦＦを指示する電源ボタンや、数字ボタンなどがある。
リモコン１ａに備わるこれらのキーの各々には識別情報が割り当てられている。そして、ユーザによりキー操作が行われると、操作されたキーの識別情報に対応するリモコン信号が生成される。そして、生成されたリモコン信号が図示しない投光部から赤外線信号により送信され、本体部１の前面パネルに設けられたリモコン信号受光部１４４において受信される。
【００１８】
アンテナ２は、例えば、屋外において所定の方向に向けて配置され、図示しないテレビジョン放送局等から発信される高周波（RF）のテレビジョン放送信号（RF信号）を受信する。
チューナ３は、例えば、図示は省略するが、高周波増幅回路と、局部発振回路及び混合回路から成る周波数変換回路と、を備えて構成されており、アンテナ２等により入力されたテレビジョン放送信号を、高周波増幅回路において増幅し、混合回路において局部発振回路から出力される局部発振信号と混合する。さらに、特定の周波数を選局するための主制御部１３からの制御出力に応じて、特定周波数帯の中間周波信号（IF信号）を受信し、当該中間周波信号に所定の処理を行って復調部４に出力する。
【００１９】
復調部４は、例えば、主制御部１３からの制御に基づいて、チューナ３から出力された中間周波信号に対してデジタル復調や誤り訂正などの処理を実行し、トランスポートストリーム（TS）を生成して、ＴＳデコーダ５に出力する。
ＴＳデコーダ５は、復調部４から入力されたトランスポートストリームを、ＭＰＥＧ２（Moving Picture Experts Group 2）規格下のビデオストリーム、オーディオストリーム及びＰＳＩ／ＳＩ（Program Specific Information/Service Information）等のデータストリームに分離するとともに、当該ビデオストリームをビデオデコーダ６に、オーディオストリームをオーディオデコーダ７に出力し、さらに、ＰＳＩ／ＳＩ等のデータストリームを主制御部１３に供給する。
【００２０】
ビデオデコーダ６は、ＴＳデコーダ５から入力されたビデオストリームを復号し、逆ＤＣＴ変換や動き補償制御等を行い、映像データを生成して映像処理部８に出力する。また、オーディオデコーダ７は、ＴＳデコーダ５から入力されたオーディオストリームを復号し、音声データを生成して音声処理部９に出力する。
【００２１】
映像処理部８は、ビデオデコーダ６から入力された映像データに対して、Ｄ／Ａ変換等の各種処理を施し、映像信号を生成する。また、音声処理部９は、オーディオデコーダ７から入力された音声データに対して、Ｄ／Ａ変換等の各種処理を施し、音声信号を生成する。生成された映像信号は映像表示部１１に出力され、音声信号は音声出力部１２に出力される。
ＯＳＤ回路１０は、主制御部１３からの指示出力に応じて、ＲＯＭ１３３に格納された図示しないＯＳＤデータを、映像処理部８から出力された映像信号に合成する処理を行う。当該ＯＳＤ回路１０において、映像信号にＯＳＤデータが合成されることにより、映像表示部１１におけるＯＳＤ表示が実現されることとなる。
【００２２】
映像表示部１１は、例えば、ＬＣＤ（Liquid Crystal Display）、ＰＤＰ（Plasma Display Panel）等のディスプレイ１１ａを備え、映像処理部８から入力された映像信号に基づく映像を当該ディスプレイ１１ａに表示させる。すなわち、映像表示部１１は、受信したテレビジョン放送信号に基づき、ディスプレイ１１ａへ映像を表示する処理を行うものである。
音声出力部１２は、例えば、スピーカ１２ａ等を備え、音声処理部９から入力された音声信号に基づく音声を当該スピーカ１２ａにより出力させる。すなわち、音声出力部１１は、受信したテレビジョン放送信号に基づき、スピーカ１２ａへ音声を出力する処理を行うものである。
このように、映像表示部１１及び音声出力部１２は、受信したデジタル放送信号に基づいて所定の処理を行う放送信号処理手段を構成する。
【００２３】
主制御部１３は、ＣＰＵ（Central Processing Unit）１３１、ＲＡＭ（Random Access Memory）１３２、ＲＯＭ（Read Only Memory）１３３等を備えて構成されている。
【００２４】
ＣＰＵ１３１は、オペレーティングシステム（OS）が起動されることによって、本体部１に係る各部の制御が可能であって、本体部１の各部から入力された入力信号に応じて、ＲＯＭ１３３に格納された各種プログラムを実行するとともに、実行にかかるプログラムに基づく出力信号を各部に出力することにより、本体部１の動作全般を統括制御する。すなわち、ＣＰＵ１３１は、映像表示部１１や音声出力部１２などの制御を行う。
【００２５】
ＲＡＭ１３２は、ＣＰＵ１３１のワークエリアとして用いられ、ＣＰＵ１３１によって各種プログラムが実行される際に生じる処理結果や、入力されたデータ等を一時的に記憶する。
【００２６】
ＲＯＭ１３３は、例えば、ＣＰＵ１３１によって実行される各種制御プログラムや、プログラムの実行にかかる初期設定値等のデータを記憶する。具体的には、ＲＯＭ１３３は、メインプログラム１３３ａやスタンバイ時間設定プログラム１３３ｂ等の制御プログラムを格納している。
【００２７】
メインプログラム１３３ａは、例えば、ＣＰＵ１３１に、リモコン制御部１４からの信号に応じて、本体部１に設けられた各構成部に対する統括制御を行う機能を実現させるためのプログラムである。
【００２８】
スタンバイ時間設定プログラム１３３ｂは、例えば、ＣＰＵ１３１に、後述する機能スタンバイ状態とリモコンスタンバイ状態との間の切り替えを行うまでの時間を設定する機能を実現させるためのプログラムである。
このように、ＣＰＵ１３１は、かかるスタンバイ時間設定プログラム１３３ｂを実行することにより、待機時間設定手段として機能する。
【００２９】
リモコン制御部１４は、ＣＰＵ１４１、ＲＡＭ１４２、ＲＯＭ１４３、リモコン信号受光部１４４、電源報知ＬＥＤ１４５等を備えて構成されている。
【００３０】
ＣＰＵ１４１は、リモコン信号受光部１４４を介して受信したリモコン１ａからの入力信号に応じて、ＲＯＭ１４３に格納された各種プログラムを実行するとともに、実行にかかるプログラムに基づく出力信号を主制御部１３に出力することにより、本体部１に対する制御を行う。
【００３１】
ＲＡＭ１４２は、ＣＰＵ１４１のワークエリアとして用いられ、ＣＰＵ１４１によって各種プログラムが実行される際に生じる処理結果や、入力されたデータ等を一時的に記憶する。
【００３２】
ＲＯＭ１４３は、例えば、ＣＰＵ１４１によって実行される各種制御プログラムや、プログラムの実行にかかる初期設定値等のデータを記憶する。具体的には、ＲＯＭ１４３は、電源制御プログラム１４３ａ等の制御プログラムを格納している。
【００３３】
電源制御プログラム１４３ａは、例えば、ＣＰＵ１４１に、リモコン１ａや本体部１に設けられた電源ボタン（図示しない）の操作の検出を行い、その検出結果に応じて、主制御部１３の動作状態を稼働状態及び機能スタンバイ状態又はリモコンスタンバイ状態の何れかに切り替える機能を実現させるためのプログラムである。また、電源制御プログラム１４３ａは、例えば、ＣＰＵ１４１に、機能スタンバイ状態及びリモコンスタンバイ状態において所定の待機時間が経過したことを検出し、その検出結果に応じて、機能スタンバイ状態とリモコンスタンバイ状態との間で動作状態を切り替える機能を実現させるためのプログラムである。
このように、ＣＰＵ１４１は、かかる電源制御プログラム１４３ａを実行することにより、電源操作検出手段として機能する。
また、ＣＰＵ１４１は、かかる電源制御プログラム１４３ａを実行することにより、状態切替手段として機能する。
また、ＣＰＵ１４１は、かかる電源制御プログラム１４３ａを実行することにより、待機時間検出手段として機能する。
【００３４】
リモコン信号受光部１４４は、リモコン１ａに備わる各種キーが、ユーザの押下操作により出力された赤外線等の入力操作信号を受信し、その入力操作信号をＣＰＵ１４１に対して出力する。
【００３５】
電源報知ＬＥＤ１４５は、赤と緑の発光素子が内蔵され、本体部１の動作状態に応じて赤、緑及び橙の何れかの色にて発光するものである。具体的には、電源報知ＬＥＤ１４５は、稼働状態では緑に、リモコンスタンバイ状態では赤に、機能スタンバイ状態では橙にそれぞれ発光する。ここで、橙は、赤と緑の発光素子を両方同時に発光させることにより実現される。
このように、電源報知ＬＥＤ１４５は、第１待機状態と第２待機状態との何れの動作状態であるかを報知する状態報知手段として機能するものである。
【００３６】
次に、本体部１における電源制御処理について、図２及び図３のフローチャートを参照して説明する。
【００３７】
まず、ＣＰＵ１４１は、図２に示すように、リモコン１ａの電源ボタンが操作されたか否かを判定する。すなわち、ＣＰＵ１４１は、リモコン信号受光部１４４に、リモコン１ａからの電源ボタンの操作信号が受信されたか否かを判定する（ステップＳ１００）。
ＣＰＵ１４１は、電源ボタンが操作されたと判定したときは（ステップＳ１００：Ｙ）、ステップＳ１０１の処理を実行する。一方、ＣＰＵ１４１は、電源ボタンが操作されたと判定しなかったときは（ステップＳ１００：Ｎ）、図３のステップＳ１０９の処理を実行する。
ＣＰＵ１４１は、ステップＳ１０１において、電源ＯＮの状態であるか否かを判定する。ＣＰＵ１４１は、電源ＯＮの状態であると判定したときは（ステップＳ１０１：Ｙ）、電源ＯＦＦコマンドを主制御部１３に送信し（ステップＳ１０２）、電源報知ＬＥＤ１４５を機能スタンバイ状態を示す橙に点灯させた後（ステップＳ１０３）、この処理を終了する。一方、ＣＰＵ１４１は、ステップＳ１０１において、電源ＯＮの状態であると判定しないとき（ステップＳ１０１：Ｎ）、すなわち、スタンバイ状態であるときは、現在のスタンバイ状態がリモコンスタンバイ状態であるか否かを判定する（ステップＳ１０４）。
ＣＰＵ１４１は、ステップＳ１０４において、リモコンスタンバイ状態であると判定したときは（ステップＳ１０４：Ｙ）、主制御部１３のＣＰＵ１３１を起動させるためのリセット信号を送信し（ステップＳ１０５）、所定時間待機するウェイト処理を実行した後（ステップＳ１０６）、ステップＳ１０７の処理を実行する。一方、ＣＰＵ１４１は、ステップＳ１０４において、リモコンスタンバイ状態であると判定しない場合（ステップＳ１０４：Ｎ）、すなわち、機能スタンバイ状態であると判定した場合は、ステップＳ１０５、Ｓ１０６を実行することなくステップＳ１０７に移行する。
ＣＰＵ１４１は、その後、電源ＯＮコマンドを主制御部に送信する処理を行い（ステップＳ１０７）、電源報知ＬＥＤ１４５を、稼働状態を示す緑に点灯させた後（ステップＳ１０８）、この処理を終了する。
【００３８】
一方、ＣＰＵ１４１は、図３に示すように、ステップＳ１０９において、電源ＯＦＦの状態であるか否かを判定する。ＣＰＵ１４１は、電源ＯＦＦの状態であると判定したときは（ステップＳ１０９：Ｙ）、ステップＳ１１０の処理を実行し、電源ＯＦＦの状態であると判定しないときは（ステップＳ１０９：Ｎ）、この処理を終了する。
そして、ＣＰＵ１４１は、ステップＳ１１０において、現在の動作状態がリモコンスタンバイ状態であるか否かを判定する。ＣＰＵ１４１は、リモコンスタンバイ状態であると判定したときは（ステップＳ１１０：Ｙ）、ステップＳ１１１の処理を実行し、リモコンスタンバイ状態であると判定しないとき（ステップＳ１１０：Ｎ）、すなわち、機能スタンバイ状態であると判定したときは、ステップＳ１１４の処理を実行する。
そして、ＣＰＵ１４１は、リモコンスタンバイ状態となってから時間ａが経過したか否かを判定する（ステップＳ１１１）。すなわち、ＣＰＵ１４１は、後述するスタンバイ時間設定処理において設定された時間ａが経過したか否かを判定する。ＣＰＵ１４１は、ステップＳ１１１において、時間ａが経過したと判定したときは（ステップＳ１１１：Ｙ）、主制御部１３のＣＰＵ１３１を起動させるためのリセット信号を送信し（ステップＳ１１２）、電源報知ＬＥＤ１４５を機能スタンバイ状態であることを示す橙に発光させた後（ステップＳ１１３）、この処理を終了する。一方、ＣＰＵ１４１は、ステップＳ１１１において、時間ａが経過したと判定しないときは（ステップＳ１１３：Ｎ）、ステップＳ１１２及びステップＳ１１３を実行することなく、この処理を終了する。
また、ＣＰＵ１４１は、ステップＳ１１４において、機能スタンバイモードとなってから時間ｂを経過したか否かを判定する。ＣＰＵ１４１は、ステップＳ１１４において、時間ｂが経過したと判定したときは（ステップＳ１１４：Ｙ）、主制御部１３のＣＰＵ１３１をシャットダウンさせるためのリモコンスタンバイコマンドを送信し（ステップＳ１１５）、電源報知ＬＥＤ１４５をリモコンスタンバイ状態であることを示す赤に発光させた後（ステップＳ１１６）、この処理を終了する。一方、ＣＰＵ１４１は、ステップＳ１１４において、時間ｂが経過したと判定しないときは（ステップＳ１１４：Ｎ）、ステップＳ１１５及びステップＳ１１６の処理を実行することなく、この処理を終了する。
【００３９】
次に、本体部１におけるメイン処理について、図４のフローチャートを参照して説明する。メイン処理は、ＣＰＵ１３１がメインプログラム１３３ａを実行することにより実現される。また、この処理は、ＣＰＵ１３１が、リモコン制御部１４からのリセット信号がＣＰＵ１３１に入力されたときに実行される処理である。
【００４０】
まず、ＣＰＵ１３１は、オペレーティングシステムを起動した後（ステップＳ２００）、チューナ３、復調部４、ＴＳデコータ５、ビデオデコーダ６、オーディオデコーダ７、映像処理部８、音声処理部９、ＯＳＤ回路１０等を正常に機能させるための初期設定処理を実行する（ステップＳ２０１）。
【００４１】
次に、ＣＰＵ１３１は、リモコン制御部１４から電源ＯＮコマンドを受信したか否かを判定する（ステップＳ２０２）。ＣＰＵ１３１は、電源ＯＮコマンドを受信したと判定したときは（ステップＳ２０２：Ｙ）、映像表示部１１及び音声出力部１２を駆動する処理を実行する（ステップＳ２０３）。すなわち、ＣＰＵ１３１は、ステップＳ２０３を実行することにより、映像処理部８から出力された映像信号が映像表示部１１のディスプレイ１１ａ上に表示されるようになり、音声処理部９から出力された音声信号が音声出力部１２のスピーカ１２ａより出力されるようになる。そして、ＣＰＵ１３１は、ステップＳ２０３の処理を実行した後、ステップＳ２０２の処理を実行する。
【００４２】
一方、ＣＰＵ１３１は、ステップＳ２０２において、電源ＯＮコマンドを受信したと判定しないときは（ステップＳ２０２：Ｎ）、電源ＯＦＦコマンドを受信したか否かを判定する（ステップＳ２０４）。ＣＰＵ１３１は、電源ＯＦＦコマンドを受信したと判定したときは（ステップＳ２０４：Ｙ）、映像表示部１１及び音声出力部１２の駆動を停止する処理を実行した後（ステップＳ２０５）、ステップＳ２０２の処理を実行する。
【００４３】
一方、ＣＰＵ１３１は、ステップＳ２０４において、電源ＯＦＦコマンドを受信したと判定しないときは（ステップＳ２０４：Ｎ）、リモコンスタンバイコマンドを受信したか否かを判定する（ステップＳ２０６）。ＣＰＵ１３１は、ステップＳ２０６において、リモコンスタンバイコマンドを受信したと判定したときは（ステップＳ２０６：Ｙ）、主制御部１３をシャットダウンさせるシャットダウン処理を行い（ステップＳ２０７）、その後、システムリセット状態となる。
一方、ＣＰＵ１３１は、ステップＳ２０６において、リモコンスタンバイコマンドを受信したと判定しないときは（ステップＳ２０６：Ｎ）、ステップＳ２０２の処理を実行する。
【００４４】
次に、本体部１におけるスタンバイ時間設定処理について、図５のフローチャートを参照して説明する。スタンバイ時間設定処理は、ＣＰＵ１３１がスタンバイ時間設定プログラム１３３ｂを実行することにより実現される。また、この処理は、ユーザがリモコン１ａによって所定の設定操作を行い、その操作信号をリモコン信号受光部１４４が受け付けたことをＣＰＵ１３１が検出したときに実行される処理である。
【００４５】
まず、ＣＰＵ１３１は、所定のスタンバイ時間設定画面の表示を行い、ユーザが画面に沿ってスタンバイ時間の設定を行うことができるようにする（ステップＳ３０１）。
次に、ＣＰＵ１３１は、ユーザのリモコン１ａの操作に応じて図６に示すスタンバイ時間設定テーブルの中から１つのモードを選択する（ステップＳ３０２）。
【００４６】
ここで、図６を参照してスタンバイ時間設定テーブルについて説明する。スタンバイ時間設定テーブルは、リモコンスタンバイ状態の待機時間である時間ａと機能スタンバイ状態の待機時間である時間ｂとの組合せを選択するためのものである。このスタンバイ時間設定テーブルには３つの時間の組合せが格納されており、ユーザによりスタンバイ時間設定テーブルから１つの組合せ（モード）が選択できるようになっている。
【００４７】
そして、ＣＰＵ１３１は、選択されたモードに対応する時間ａ及び時間ｂの各データをリモコン制御部１４に送信する（ステップＳ３０３）。
これにより、リモコン制御部１４のＣＰＵ１４１は、リモコンスタンバイ状態と機能スタンバイ状態のそれぞれの待機時間の設定を行うこととなる。その後、設定された待機時間に基づいて、図３のステップＳ１１１及びステップＳ１１４においてリモコンスタンバイ状態及び機能スタンバイ状態の各待機時間の経過を判断することとなる。そして、図３のステップＳ１１１及びステップＳ１１４により待機時間の経過が判断されると、リモコンスタンバイ状態から機能スタンバイ状態に、あるいは、機能スタンバイ状態からリモコンスタンバイ状態に切り替わることとなる。
なお、ここで、機能スタンバイ状態の待機時間については、少なくともオペレーティングシステムが起動するまでの時間よりも長くするのが好ましい。本実施形態では、オペレーティングシステムが起動するまで約３０秒かかるので、機能スタンバイ状態の待機時間については、これよりも長い時間（３５秒、６０秒）となっている。
【００４８】
以上説明したように、本発明の実施形態によれば、リモコン制御部１４のＣＰＵ１４１が、待機時間の経過毎に主制御部１３におけるオペレーティングシステムを起動させる機能スタンバイ状態とオペレーティングシステムを停止させるリモコンスタンバイ状態とに切り替えるので、一定時間機能スタンバイ状態となることにより、ユーザがリモコン１ａ等によって電源操作を行ってから映像及び音声が出力されるまでの時間（起動時間）の平均が速くなるとともに、一定時間リモコンスタンバイ状態となることにより、消費電力の低下が図れ、視聴パターンが不規則がユーザであっても一定の利便性と消費電力の抑制を満たすことができるようになる。
【００４９】
例えば、リモコンスタンバイ状態時における起動時間が３０秒、消費電力0.1Ｗで、機能スタンバイ状態時における起動時間が５秒、消費電力２０Ｗである放送受信装置において、リモコンスタンバイ状態時における待機時間を１０秒、機能スタンバイ状態時における待機時間を３５秒に設定すると、平均起動時間が9.55秒、平均消費電力が15.57Ｗとなり、リモコンスタンバイ状態又は機能スタンバイ状態の何れか一方のみ動作するものよりも、本実施形態のように、リモコンスタンバイ状態と機能スタンバイ状態とを所定時間が経過するごとに切り替えることにより、視聴パターンが不規則がユーザであっても一定の利便性と消費電力の抑制を満たすことができる。
【００５０】
また、本発明の実施形態によれば、一定時間毎に機能スタンバイ状態となるので、例えば、待機状態において、地震予報などの緊急放送を受信することができる機会を高めつつ、消費電力を抑制することができる。
【００５１】
また、本発明の実施形態によれば、リモコンスタンバイ状態における待機時間と機能スタンバイ状態における待機時間との設定を行うことができるので、ユーザの好みに応じた設定を行うことができ、利便性がさらに向上する。
【００５２】
また、本発明の実施形態によれば、電源報知ＬＥＤ１４５によって、リモコンスタンバイ状態であるか、機能スタンバイ状態であるかを容易に認識することができ、利便性がさらに向上する。
【００５３】
また、本発明の実施形態によれば、機能スタンバイ状態における待機時間を、少なくともオペレーティングシステムの起動が完了するまでの時間としているので、リモコンスタンバイ状態から機能スタンバイ状態へ切り替わってから、オペレーティングシステムの起動が完了するまでに再度リモコンスタンバイ状態へ移行することがないので、安定した動作を行わせることができる。また、機能スタンバイ状態における最短起動時間を維持することもできる。
【００５４】
なお、本発明の実施形態では、待機時間の設定が可能に構成されているが、待機時間の設定ができないように構成されていてもよい。
また、待機時間をテーブルから何れかを選択するものとしたが、テーブルによらず、リモコンスタンバイ状態及び機能スタンバイ状態の各待機時間について、例えば、数値を直接入力するなど、他の方法により設定を行うようにしてもよい。
【００５５】
また、本発明の実施形態では、リモコンスタンバイ状態と機能スタンバイ状態とを視覚により認識可能にする電源報知ＬＥＤ１４５を設けたが、音声にて報知を行うようにしてもよい。また、ＬＣＤ等他の表示手段によって報知を行うようにしてもよい。また、このような機能を設けないようにしてもよい。
【００５６】
また、本発明の実施形態では、機能スタンバイ状態における待機時間を、少なくともオペレーティングシステムの起動が完了するまでの時間としたが、オペレーティングシステムの起動が完了するまでの時間よりも短い時間に設定してもよい。
【００５７】
また、本発明の実施形態では、本体部１の稼働状態において、電源操作がなされたときには、機能スタンバイ状態へ移行するように制御しているが、リモコンスタンバイ状態へ移行するように制御してもよい。
【００５８】
また、本発明の実施形態では、放送受信装置の一例としてテレビジョン受像機１００を挙げて説明したが、ＨＤＤ（Hard Disk Drive）レコーダやＤＶＤ（Digital Versatile Disc）レコーダなどの録画再生装置にも適用可能である。
【符号の説明】
【００５９】
１００  テレビジョン受像機（放送受信装置）
１  本体部
１ａ  リモコン
１１  映像表示部（放送信号処理手段）
１２  音声出力部（放送信号処理手段）
１３  主制御部
１３１  ＣＰＵ（待機時間設定手段）
１４  リモコン制御部
１４１  ＣＰＵ（電源操作検出手段、状態切替手段、待機時間検出手段）
１４４  リモコン信号受光部
１４５  電源報知ＬＥＤ（状態報知手段）
【図１】
2011019139.tif 000003
【図２】
2011019139.tif 000004
【図３】
2011019139.tif 000005
【図４】
2011019139.tif 000006
【図５】
2011019139.tif 000007
【図６】
2011019139.tif 000008